(57)【要約】  第１のパネル（３）に固定されることができる少なくとも１つのプレート（２）と、前記プレート（２）に接続され、前記第１のパネル（３）に第２のパネル（５）を接続するように、前記第２のパネル（５）のキャビティ（６）中に挿入されることができる接続本体（４）と、を具備する、複数のパネルの接続部材であって、前記接続本体（４）は、ほぼＶ形の横断面を有し、また、前記キャビティ（６）中に完全に挿入されることができる上縁部（９）を有することを特徴とする接続部材。
2011510198.tif 000002
【特許請求の範囲】
【請求項１】
第１のパネル（３）に固定されることができる少なくとも１つのプレート（２）と、
前記プレート（２）に接続され、前記第１のパネル（３）に第２のパネル（５）を接続するように、前記第２のパネル（５）のキャビティ（６）中に挿入されることができる接続本体（４）と、を具備する、複数のパネルの接続部材であって、
前記接続本体（４）は、ほぼＶ形の横断面を有し、また、
前記キャビティ（６）中に完全に挿入されることができる上縁部（９）を有することを特徴とする接続部材。
【請求項２】
前記接続本体（４）は、２つのさらなるプレート（１０）を有し、
これらさらなるプレートの少なくとも一方が、前記プレート（２）に接続されており、前記上縁部（６）に向かって収束していることを特徴とする請求項１の接続部材。
【請求項３】
前記さらなるプレート（１０）は、それぞれ、
前記上縁部（９）を形成するように、互いに連結された第１の端部（１０ａ）と、
少なくとも一方が前記プレート（２）に接続され、前記第１の端部に対向している第２の端部（１０ｂ）と、を有することを特徴とする請求項２の接続部材。
【請求項４】
前記接続本体（４）は、この接続部材を前記第２のパネル（５）に固定するための手段（１２）を収容するための少なくとも１つの貫通孔（１１）を有することを特徴とする請求項２又は３の接続部材。
【請求項５】
前記貫通孔（１１）は、前記第１の端部（１０ａ）に近接した前記さらなるプレート（１０）に形成されていることを特徴とする請求項３又は４の接続部材。
【請求項６】
前記プレート（２）は、前記第１のパネル（３）に前記プレート（２）を固定するためのアンカー部材（８）を収容するための少なくとも１つの孔（７）を有することを特徴とする請求項１ないし５のいずれか１の接続部材。
【請求項７】
前記第１のパネル（３）に接続されることができる２つのプレート（２）を有し、
これら２つのプレートの各々が前記接続本体（４）に接続され、
各プレート（２）が、前記さらなるプレート（１０）のそれぞれの第２の端部（１０ｂ）に接続されていることを特徴とする請求項３ないし６のいずれか１の接続部材。
【請求項８】
前記さらなるプレート（１０）の前記第１の端部（１０ａ）は、互いに接続されていることを特徴とする請求項７の接続部材。
【請求項９】
前記プレート（２）は、これらプレートが前記さらなるプレート（１０）のそれぞれの前記第２の端部（１０ｂ）から互いに離れるように延びるようにして位置していることを特徴とする請求項７又は８の接続部材。
【請求項１０】
前記プレート（２）は、これらプレートが前記さらなるプレート（１０）のそれぞれの前記第２の端部（１０ｂ）から互いに向かって延びるようにして位置していることを特徴とする請求項７又は８の接続部材。
【請求項１１】
前記プレート（２）は、前記さらなるプレート（１０）の前記第２の端部（１０ｂ）に接続されており、前記上縁部（９）の対向側にあることを特徴とする請求項３ないし６のいずれか１の接続部材。
【請求項１２】
前記さらなるプレート（１０）の前記第１の端部（１０ａ）は、互いに近くに延ばされていることを特徴とする請求項１１の接続部材。
【請求項１３】
前記さらなるプレート（１０）の各々が、前記プレート（２）へのアクセスを可能にするように、前記上縁部（９）のところにそれぞれ形成されたＶ形のノッチ（１６）を有することを特徴とする請求項１１又は１２の接続部材。
【請求項１４】
前記ノッチ（１６）は、互いに対向していることを特徴とする請求項１３の接続部材。
【請求項１５】
さらなるプレート（１０）の各々が、前記プレート（２）へのアクセスを可能にするように、さらなるプレート（１０ｃ）の各々の少なくとも１つの側縁部（１０ｃ）のところに、それぞれカットアウト（１８）を有することを特徴とする請求項１１ないし１４のいずれか１の接続部材。
【請求項１６】
前記カットアウト（１８）は、前記さらなるプレート（１０）の各々の対向している側縁部（１０ｃ）に沿って形成されていることを特徴とする請求項１５の接続部材。
【請求項１７】
単一のシートを曲げることによって形成されていることを特徴とする請求項１ないし１６のいずれか１の接続部材。
【請求項１８】
前記シートは、鋼でできていることを特徴とする請求項１７の接続部材。
【発明の詳細な説明】
【技術分野】
【０００１】
本発明は、パネルの接続部材に関する。
【０００２】
特に、本発明は、木造建築物の建築の分野において、木製パネルの接続に効果的に適用される。
【０００３】
本発明はまた、例えば、マルチレイヤ素材、コンクリート又は他の素材でできたパネルのような、他の素材でできたパネルの接続にも効果的に適用される。
【背景技術】
【０００４】
金属素材でできたプレートからなるパネルの、先行技術の接続部材があり、この接続部材は、Ｌ形又はＴ形の構造体を形成するようにして曲げられている。
【０００５】
このような接続部材は、第１のパネルへの接続の第１の部分と、第２のパネルに固定される第２の部分とを有する。
【０００６】
Ｔ形の接続部材は、パネルの建築中、パネルに適切に形成されたノッチ中に挿入されることができる少なくとも１つの部分を有する。このようにして、パネルは、接続部材が少なくとも部分的に隠されるようにして接続される。
【０００７】
代わって、平らな第１の部分及び平らで互いに平行に配置された２つの第２の部分を備えた、先行技術の接続部材がある。この場合、第１の部分が第１のパネルにいったん固定されると、第２のパネルは、２つの平行な第２の部分によって形成されたスペース中に挿入される。適切な固定手段が、第２のパネルと接続部材との間の接続を安定させるために使用される。
【０００８】
これらのタイプの接続部材は、パネルの所定の角度での接続のために使用される。言い換えれば、これら部材は、互いに直角をなすようにして２つのパネルを接続するために使用される。特に、前記タイプの接続は、建物の支持壁又は間仕切壁を少なくとも部分的に形成するパネルに、建物の床と天井とのを少なくとも一方を形成するパネルを接続するために使用される。
【０００９】
好ましくないことに、先行技術の接続部材は、構造上の特性、特に、剛性に関して、乏しい。
【００１０】
この欠点は、建物を建築するためのパネルの組立の間、特に明らかである。
【００１１】
先行技術の接続部材の使用は、床と天井との少なくとも一方を形成する際、壁を形成するパネルの連続した装着を必要とする。
【００１２】
言い換えれば、先行技術の接続部材は、一時的にでさえも、隔てられたパネルを支持することができないので、パネルを隣接したパネルに直接装着することが必要不可欠である。
【００１３】
さらに、これは、パネルの数を減らし、取り付けを容易にするように、オペレータに大きなパネルを使用させる。
【００１４】
しかし、これをする際に、パネルの処理に関連する問題が生じ、また、例えば、大きなパネルの「帆の影響」（“sail effect”）によるオペレータの安全の問題も生じる。
【発明の概要】
【００１５】
本内容において、本発明の技術的目的は、上述の欠点のない、パネルの接続部材を提案することである。
【００１６】
特に、本発明は、所定の目的のために、構造上の特徴を顕著に改良したパネルの接続部材を提案しなければならない。
【００１７】
さらに、本発明は、所定の目的のために、建物を建築するためのパネルの容易で、迅速で、安全な組立を可能にする、パネルの接続部材を提案しなければならない。
【００１８】
本発明に従って、述べられた技術的な目的及び挙げられた目的は、特許請求の範囲の少なくとも１つでここに規定された技術的特徴を有するパネルの接続部材によって達成される。
【００１９】
本発明のさらなる特徴並びに効果は、添付図面に示される、パネルの接続部材の、好ましく、限定的でない実施の形態を参照して、以下の詳細な説明でより明らかになる。
【図面の簡単な説明】
【００２０】
【図１】図１は、本発明に従うパネルの接続部材の第１の実施の形態の斜視図である。
【図２】図２は、動作形態における図１のパネルの接続部材の断面図である。
【図３】図３は、本発明に従うパネルの接続部材の第２の実施の形態の斜視図である。
【図４】図４は、図３のパネルの接続部材の正面図である。
【図５】図５は、図４のＶ−Ｖ線による図３の接続部材の断面図である。
【発明を実施するための形態】
【００２１】
添付図面を参照して、参照符号１は、パネルの接続部材全体を示している。
【００２２】
この説明は、木製パネルを参照している。しかし、本発明は、他の素材でできたパネルに効果的に適用されることができることが理解されるであろう。
【００２３】
接続部材１は、第１の木製パネル３に固定されることができ、好ましくは平らな、少なくとも１つのプレート２と、プレート２に接続され、第２の木製パネル５内に挿入されることができる接続本体４とを有する。
【００２４】
特に、接続本体４は、この接続本体と適合するように第２のパネル５中に成形されたキャビティ６内に挿入されることができる（図２）。
【００２５】
好ましくは、この特徴は、パネルを中心に置いた組立を可能にする。言い換えれば、第２のパネル５に形成されたキャビティ６の位置は、第１のパネル３に対する位置を入念に決める。
【００２６】
接続本体４は、プレート２がある平面に垂直な延伸方向に沿って主に延びていることが気付かれるであろう。
【００２７】
図１並びに図２に示される実施の形態では、接続部材１は、同一平面上の（coplanar）２つのフラットプレート２を有し、これらフラットプレートの各々が、接続本体４に接続される。
【００２８】
各プレート２は、第１のパネル３にプレート２を固定するために必要とされるアンカー部材８を収容するための少なくとも１つの孔７を有する。
【００２９】
より詳細には、プレート２は、ほぼ整列され、等距離間隔にある複数の孔７を有し、実際には、対応したアンカー部材８を収容している。
【００３０】
アンカー部材８は、例えば、爪、タッピンねじ又は他の部材であることができる。
【００３１】
好ましくは、接続本体４は、ほぼＶ形の横断面を有し、また、キャビティ６中に完全に挿入されることができる上縁部９を有する。
【００３２】
接続本体４は、好ましくは平らで、互いに所定の角度をなすように設定され、上縁部９に向かって収束している２つのさらなるプレート１０を有する。さらなるプレート１０の各々は、それぞれのプレート２に接続されている。
【００３３】
接続本体４のさらなるプレート１０は、上縁部９を形成するように、互いに関連しており、キャビティ６中に完全に挿入されることができる複数の第１の端部１０ａと、プレート２に接続され、第１の端部に対向している複数の第２の端部１０ｂとを有する。
【００３４】
この実施の形態では、さらなるプレート１０の前記複数の第１の端部１０ａは、互いに一体的である。
【００３５】
接続本体４には、第２のパネル５に接続本体を固定するための手段１２を収容するための少なくとも１つの貫通孔１１がある。
【００３６】
特に、接続本体４は、それぞれの固定手段１２を収容するための複数の貫通孔１１を有する。
【００３７】
図１並びに図２に示される形態によると、複数のプレート２は、さらなるプレート１０の第２の端部１０ｂから互いに離れて延びるようにして位置している。代わりの実施の形態（図示されない）では、複数のプレート２は、接続本体４のさらなるプレート１０の下にあるようにして、互いに向かって延びるようにして位置している。
【００３８】
より詳細には、これら貫通孔１１は、これらの第１の端部１０ａに近接しているさらなるプレート１０を通っている。言い換えれば、これら貫通孔１１は、接続本体４の上縁部９に接近している。
【００３９】
実際には、特に図２を参照すると、接続本体４が第２のパネル５中に挿入されたとき、これら貫通孔１１が、第２のパネル５に形成されたそれぞれの孔１３と整列され、キャビティ６を横切るようにして位置している。
【００４０】
説明される実施の形態では、固定手段１２は、スリーブ１５に接続されたねじ１４を有し、これらは、両方とも貫通孔１１中に挿入される。
【００４１】
図３、図４並びに図５に示される実施の形態を参照すると、接続部材１は、第１のパネル３への接続のための単一のプレート２を有する。
【００４２】
このプレート２は、上縁部９に対向して位置しているようにして、接続本体４に接続されている。
【００４３】
より詳細には、このプレート２は、接続本体４のさらなるプレート１０の第２の端部１０ｂに接続されている。言い換えれば、このプレート２は、さらなるプレート１０よりも下に位置している。
【００４４】
この実施の形態では、さらなるプレート１０の複数の第１の端部１０ａは、上縁部９を形成するように、互いに近くに引き延ばされている。しかし、これら第１の端部１０ａは、離れており、互いに固定されないことが気付かれるであろう。
【００４５】
再び、この実施の形態では、プレート２は、第１のパネル３にプレート２を固定するためのそれぞれのアンカー部材８を収容するための複数の孔７を有する。
【００４６】
プレート２へのアクセスを可能にするために、また、アンカー部材８の適用を可能にするために、接続本体４のさらなるプレート１０の各々は、それぞれ、上縁部９のところに形成されたＶ形状のノッチ１６を有する。
【００４７】
さらなるプレート１０の第１の端部１０ａのところに形成された複数のノッチ１６は、プレート２へアクセスを可能にする開口１７を形成するように、互いに対向して配置されている。
【００４８】
さらに、プレート２へのアクセスを容易にするために、接続本体４のさらなるプレート１０の各々は、さらなるプレート１０の一側縁部１０ｃのところに、それぞれ、カットアウト１８を有する。
【００４９】
詳細には、カットアウト１８は、さらなるプレート１０の対向している側縁部１０ｃに沿って形成されている。このようにして、接続部材１の側からのプレート２へのアクセスのための作業エリアが効果的に大きくなり、アンカー部材８を適合することをより簡単にする。
【００５０】
図５を参照すると、プレート２は、対で整列された４つの孔７を有する。言い換えれば、これら孔７は、プレート２の長軸Ａに対して交互にオフセットして所定の位置に配置されている（図５）。この特徴は、第１のパネル３に接続部材１を固定するために、これら孔７へのより容易なアクセスを可能にする。
【００５１】
効果的には、接続部材１は、金属素材でできた単一のシートを曲げることによって作られている。シートは、好ましくは鋼でできている。
【００５２】
本発明は、当初の目的を達成し、重要な利点をもたらす。
【００５３】
接続部材の特別な形状によって、この接続部材がよい構造上の特徴を達成することが気付かれるであろう。
【００５４】
この接続本体のＶ形の横断面は、この接続本体の構造上の剛性を顕著に増加させる。
【００５５】
これは、パネルの組立を簡単で、迅速で、安全にする。
【００５６】
接続本体が第２のパネルのキャビティ中にいったん位置すれば、後者は、より安定するようにして直ちに固定される必要なく、接続部材の剛性のおかげでその位置を少なくとも一時的に維持することができる。
【００５７】
さらに、このようにして、より小さなパネルが、より簡単で、より安全に組み立てられることができる。
【００５８】
気付かれるであろう第２の重要な効果は、耐震建物の分野における接続部材の適用に関する。
【００５９】
開示された接続部材は、剛性と弾性との間の相当な折衷を特徴とする。
【００６０】
接続本体の形状は、接続部材のわずかな弾性変形を可能にする。
【００６１】
この特徴は、よい耐震特徴が与えられる建物を与える。強い振動に晒される接続部材を使用して接続された２つのパネルは、建物の構造上の完全性の維持を可能にする相対的な振動に耐えることができる。
【図１】
2011510198.tif 000003
【図２】
2011510198.tif 000004
【図３】
2011510198.tif 000005
【図４】
2011510198.tif 000006
【図５】
2011510198.tif 000007
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
第１のパネル（３）に固定されることができる少なくとも１つのプレート（２）と、
前記プレート（２）に接続され、第２のパネル（５）内に挿入されることができ、ほぼＶ形の横断面を有し、前記第２のパネル（５）中に完全に挿入可能な上縁部（９）を有する接続本体（４）と、
前記接続本体（４）を前記第２のパネル（５）に固定するための手段と、を具備する、第１のパネルを第２のパネルに接続するための接続部材において、
前記接続本体（４）は、この接続本体（４）を前記第２のパネル（５）に固定するための前記手段（１２）を収容するための少なくとも１つの貫通孔（１１）を有することを特徴とする接続部材。
【請求項２】
前記接続本体（４）は、２つのさらなるプレート（１０）を有し、
これらさらなるプレートの少なくとも一方が、前記プレート（２）に接続されており、また、前記２つのさらなるプレート（１０）が、前記上縁部（９）に向かって収束していることを特徴とする請求項１の接続部材。
【請求項３】
前記さらなるプレート（１０）は、それぞれ、
前記上縁部（９）を形成するように、互いに連結された第１の端部（１０ａ）と、
少なくとも一方が前記プレート（２）に接続され、前記第１の端部に対向している第２の端部（１０ｂ）と、を有することを特徴とする請求項２の接続部材。
【請求項４】
前記貫通孔（１１）は、前記第１の端部（１０ａ）に近接した前記さらなるプレート（１０）に形成されていることを特徴とする請求項３の接続部材。
【請求項５】
前記プレート（２）は、前記第１のパネル（３）に前記プレート（２）を固定するためのアンカー部材（８）を収容するための少なくとも１つの孔（７）を有することを特徴とする請求項１ないし４のいずれか１の接続部材。
【請求項６】
前記第１のパネル（３）に接続されることができる２つのプレート（２）を有し、
これら２つのプレートの各々が前記接続本体（４）に接続され、
各プレート（２）が、前記さらなるプレート（１０）のそれぞれの第２の端部（１０ｂ）に接続されていることを特徴とする請求項３ないし５のいずれか１の接続部材。
【請求項７】
前記さらなるプレート（１０）の前記第１の端部（１０ａ）は、互いに接続されていることを特徴とする請求項６の接続部材。
【請求項８】
前記プレート（２）は、これらプレートが前記さらなるプレート（１０）のそれぞれの前記第２の端部（１０ｂ）から互いに離れるように延びるようにして位置していることを特徴とする請求項６又は７の接続部材。
【請求項９】
前記プレート（２）は、これらプレートが前記さらなるプレート（１０）のそれぞれの前記第２の端部（１０ｂ）から互いに向かって延びるようにして位置していることを特徴とする請求項６又は７の接続部材。
【請求項１０】
前記プレート（２）は、前記さらなるプレート（１０）の前記第２の端部（１０ｂ）に接続されており、前記上縁部（９）の対向側にあることを特徴とする請求項３ないし５のいずれか１の接続部材。
【請求項１１】
前記さらなるプレート（１０）の前記第１の端（１０ａ）は、互いに近くに延ばされていることを特徴とする請求項１０の接続部材。
【請求項１２】
前記さらなるプレート（１０）の各々が、前記プレート（２）へのアクセスを可能にするように、前記上縁部（９）のところにそれぞれ形成されたＶ形のノッチ（１６）を有することを特徴とする請求項１０又は１１の接続部材。
【請求項１３】
前記ノッチ（１６）は、互いに対向していることを特徴とする請求項１２の接続部材。
【請求項１４】
さらなるプレート（１０）の各々が、前記プレート（２）へのアクセスを可能にするように、さらなるプレート（１０）の各々の少なくとも１つの側縁部（１０ｃ）のところに、それぞれカットアウト（１８）を有することを特徴とする請求項１０ないし１３のいずれか１の接続部材。
【請求項１５】
前記カットアウト（１８）は、前記さらなるプレート（１０）の各々の対向している側縁部（１０ｃ）に沿って形成されていることを特徴とする請求項１４の接続部材。
【請求項１６】
単一のシートを曲げることによって形成されていることを特徴とする請求項１ないし１５のいずれか１の接続部材。
【請求項１７】
前記シートは、鋼でできていることを特徴とする請求項１６の接続部材。
【手続補正２】
【補正対象書類名】明細書
【補正対象項目名】００６１
【補正方法】変更
【補正の内容】
【００６１】
この特徴は、よい耐震特徴が与えられる建物を与える。強い振動に晒される接続部材を使用して接続された２つのパネルは、建物の構造上の完全性の維持を可能にする相対的な振動に耐えることができる。
以下に、本願の出願当初の特許請求の範囲に記載された発明を付記する。
［１］第１のパネル（３）に固定されることができる少なくとも１つのプレート（２）と、前記プレート（２）に接続され、前記第１のパネル（３）に第２のパネル（５）を接続するように、前記第２のパネル（５）のキャビティ（６）中に挿入されることができる接続本体（４）と、を具備する、複数のパネルの接続部材であって、前記接続本体（４）は、ほぼＶ形の横断面を有し、また、前記キャビティ（６）中に完全に挿入されることができる上縁部（９）を有することを特徴とする接続部材。
［２］前記接続本体（４）は、２つのさらなるプレート（１０）を有し、これらさらなるプレートの少なくとも一方が、前記プレート（２）に接続されており、前記上縁部（６）に向かって収束していることを特徴とする［１］の接続部材。
［３］前記さらなるプレート（１０）は、それぞれ、前記上縁部（９）を形成するように、互いに連結された第１の端部（１０ａ）と、少なくとも一方が前記プレート（２）に接続され、前記第１の端部に対向している第２の端部（１０ｂ）と、を有することを特徴とする［２］の接続部材。
［４］前記接続本体（４）は、この接続部材を前記第２のパネル（５）に固定するための手段（１２）を収容するための少なくとも１つの貫通孔（１１）を有することを特徴とする［２］又は［３］の接続部材。
［５］前記貫通孔（１１）は、前記第１の端部（１０ａ）に近接した前記さらなるプレート（１０）に形成されていることを特徴とする［３］又は［４］の接続部材。
［６］前記プレート（２）は、前記第１のパネル（３）に前記プレート（２）を固定するためのアンカー部材（８）を収容するための少なくとも１つの孔（７）を有することを特徴とする［１］ないし［５］のいずれか１の接続部材。
［７］前記第１のパネル（３）に接続されることができる２つのプレート（２）を有し、これら２つのプレートの各々が前記接続本体（４）に接続され、各プレート（２）が、前記さらなるプレート（１０）のそれぞれの第２の端部（１０ｂ）に接続されていることを特徴とする［３］ないし［６］のいずれか１の接続部材。
［８］前記さらなるプレート（１０）の前記第１の端部（１０ａ）は、互いに接続されていることを特徴とする［７］の接続部材。
［９］前記プレート（２）は、これらプレートが前記さらなるプレート（１０）のそれぞれの前記第２の端部（１０ｂ）から互いに離れるように延びるようにして位置していることを特徴とする［７］又は［８］の接続部材。
［１０］前記プレート（２）は、これらプレートが前記さらなるプレート（１０）のそれぞれの前記第２の端部（１０ｂ）から互いに向かって延びるようにして位置していることを特徴とする［７］又は［８］の接続部材。
［１１］前記プレート（２）は、前記さらなるプレート（１０）の前記第２の端部（１０ｂ）に接続されており、前記上縁部（９）の対向側にあることを特徴とする［３］ないし［６］のいずれか１の接続部材。
［１２］前記さらなるプレート（１０）の前記第１の端（１０ａ）は、互いに近くに延ばされていることを特徴とする［１１］の接続部材。
［１３］前記さらなるプレート（１０）の各々が、前記プレート（２）へのアクセスを可能にするように、前記上縁部（９）のところにそれぞれ形成されたＶ形のノッチ（１６）を有することを特徴とする［１１］又は［１２］の接続部材。
［１４］前記ノッチ（１６）は、互いに対向していることを特徴とする［１３］の接続部材。
［１５］さらなるプレート（１０）の各々が、前記プレート（２）へのアクセスを可能にするように、さらなるプレート（１０ｃ）の各々の少なくとも１つの側縁部（１０ｃ）のところに、それぞれカットアウト（１８）を有することを特徴とする［１１］ないし［１４］のいずれか１の接続部材。
［１６］前記カットアウト（１８）は、前記さらなるプレート（１０）の各々の対向している側縁部（１０ｃ）に沿って形成されていることを特徴とする［１５］の接続部材。
［１７］単一のシートを曲げることによって形成されていることを特徴とする［１］ないし［１６］のいずれか１の接続部材。
［１８］前記シートは、鋼でできていることを特徴とする［１７］の接続部材。
【国際調査報告】
2011510198.tif 000008
2011510198.tif 000009
2011510198.tif 000010